(57)【要約】【目的】  静電気の除電に関して、除電器を収納場所から取り出したり、除電をする為に身につけるなどの準備を少なくする。【構成】  柔軟性と伸縮性を有する筒の内側に、一端には静電気入力電極を有し、他端には静電気放電電極を有する。【選択図】        図１
2006210260.tif 000002
【特許請求の範囲】
【請求項１】
使用者の手または足を挿入することが可能な貫通孔を備え、柔軟性と伸縮性を有し、前記貫通孔の一端に静電気入力電極を設け、他端に静電気放電電極を設け、前記静電気入力電極と静電気放電電極は電気的に接続された静電気除去具であって、前記使用者が前記貫通孔に手または足を挿入し、前記静電気放電電極を衣服の外側に位置する様に取り付けることを特徴とする静電気除去具。
【請求項２】
使用者の身に付ける衣服に取り付ける為に衣服を挟持する挟持部を設け、前記挟持部の使用者の皮膚に接触する部分に静電気入力電極を設け、前記静電気入力部分を設けた挟持部と反対側の挟持部に静電気放電電極を有することを特徴とする静電気除去具。
【請求項３】
前記使用者の身に付ける衣服に取り付ける為の挟持部は、クリップ形状であることを特徴とする請求項２記載の静電気除去具。
【発明の詳細な説明】
【技術分野】
【０００１】
本発明は、静電気除去具に関する。
【背景技術】
【０００２】
カーペット等が敷いてある場所で、部屋の出入りの際、ドアノブに手を触れた瞬間に静電気によるシビレや電撃を感じることがある。特に冬場の乾燥期に多い。これはカーペットを敷いてある床上を歩くことにより、靴やスリッパなどの履き物とカーペットとが擦れあい、人体に静電気が帯電することに起因するものであり、ドアノブなどの導体に手を触れた時、人体からドアノブへ静電気が放電するために生ずる衝撃である。静電気放電は、金属に触れる時に発生しやすく、ドアやドアフレームなど表面積が大きいものほど顕著である。一般に、人体が２ｋＶ以上に帯電すると静電気によるシビレや電撃を感じることが知られている。人体から金属などの導体への静電気放電が一瞬に生じるとシビレや電撃の原因となるため、高抵抗体を用いて静電気の放電時間を長くしたり、コロナ放電により徐々に放電していくことでシビレや電撃の防止方法を図る携帯型の静電気除去具が市販されている。
【０００３】
【特許文献１】実用公開平０６−０６１０００号
【発明の開示】
【発明が解決しようとする課題】
【０００４】
市販されている静電気除去具は、携帯しやすいようにキーホルダーの形態をしているものや、ブレスレットタイプであるものなどが知られている。キーホルダータイプのものはポケットやバッグにしまって、持ち歩いたりズボンのベルト通しに吊り下げて携帯される。静電気のシビレや電撃を防止したい時は、静電気除去具を収納箇所から取り出して使用するが、使用の都度取り出すのは面倒である。またブレスレットタイプは手首に装着されるため取り出す手間はいらないが、静電気が多く発生する冬場は気温が低いので袖の長い上着を着ていることが多い。ブレスレットタイプの静電気除去具の使用に当たっては、袖をたくし上げるなどして、静電気除去具を露出してからでないと使用できない。静電気の除去は生活の場においてしばしば必要となるので、静電気除去時の準備をより少なくしなければならないという課題があった。また、静電気の除去が直ぐにできる方法として、導電糸を用いた静電気帯電防止服が知られているが、この場合は、導電糸を用いた静電気帯電防止服を着たときでしか効果が得られないので、日用的ではなくかつ高価であるという欠点があった。
【課題を解決するための手段】
【０００５】
本発明は従来の問題に鑑みなされたもので、使用者の手を挿入することが可能な貫通孔を備え、柔軟性と伸縮性を有し、前記貫通孔の一端に静電気入力電極を設け、他端に静電気放電電極を設けた静電気除去具であって、前記使用者が身に付ける衣服に取り付ける静電気除去具であり、また、使用者の身に付ける衣服に取り付ける為の挟持部を設け、前記挟持部の使用者が身に付ける衣服が接触する部分に静電気入力電極を設け、もう一方の部分に静電気放電電極を有する静電気除去具である。
【発明の効果】
【０００６】
本発明によれば、服の袖や裾に静電気除去具を着脱可能に取り付け、静電気入力電極が手首や足首辺りに常時接触あるいは接触しやすい状態にあるので、服の袖や裾の外側に露出した静電気放電電極をドアノブなど放電対象に近づける。また接触させることで、静電気によるシビレや電撃を防止することができる。すなわち、収納場所から静電気除去具を取り出したり、袖をたくし上げるなどの動作をすることなく、腕や足を動かすだけで静電気の除電を達成することができる。また、静電気除去具を付け替えることにより、様々な服に対して対応が可能となる。
【発明を実施するための最良の形態】
【０００７】
本発明は静電気入力電極と、前記静電気入力電極と電気的に接続された静電気放電電極を備え、着脱可能に衣服に取り付けて使用可能としたものである。
【実施例１】
【０００８】
以下、本発明の詳細について添付図１、２を参照して説明する。図１に本実施例の静電気除去具の斜視図を示す。図２は図１の静電気除去具の断面図である。参照符号１は布地からなる筒状部材である。筒状部材１の両端部２，３にはゴム部材が織り込んであり、当該箇所２，３は伸縮性を有する。筒状部材１の内側全面あるいは筒の軸方向に１本ないし複数帯状に、導電帯４が配してある。導電帯４の材料としては、導電糸を混ぜた織布や不織布、導電性を有するポリエチレンやウレタン樹脂などからなる発泡材料などが挙げられる。織布や不織布では混ぜられた導電糸の先端が、布の外面に露出していることが期待できるので、コロナ放電により静電気の除去をさせるのに好ましい。また導電性発泡材は高抵抗が得やすいので、静電気の放電時間を長くする場合に好ましい。一般的に導電性材料は高価であることから、必要箇所にのみ導電材料を用いた方が製品のコストが低く抑えられるならば、図のように帯状に導電帯４を配すれば良い。部分的に導電材料を配したために製品を使用する際に取り付ける向きが限定されてしまうことを否とするならば、導電帯４を円筒部材１の内側に複数配置しても良いし、全面を導電材料としても良い。もちろん、円筒部材１全体を導電糸に織り込んだ布地で成形しても良い。円筒部材１の内側の一端の導電帯４が配置してある部分を静電気入力電極部５とする。円筒部材１の他端の静電気入力電極部５と電気的に接続している部分を静電気放電電極部６とする。
【０００９】
次に取り付け方法について図３を用いて説明する。先ず、静電気入力電極部５を手前として、静電気入力電極部５が手首の甲側付近に位置するように筒状部材１を腕に装着する。次に筒状部材１を折り返して服１０の袖に被せ、静電気放電電極部６を露出させる。筒状部材１の両端は伸縮性を有しているので、静電気入力電極部５は手首に密着し、他方静電気放電電極部６も衣服の袖に密着し外れにくくなる。静電気入力電極部５を手首の甲側に位置させるのは、静電気放電電極部６が手の甲側にあった方が放電対象に近づけやすいと考えるからである。前述の通り導電帯４が複数配置してある場合は、電極部の位置あわせに要する配慮が少なく、あるいは無用となる。また説明上、静電気入力電極部５と静電気放電電極部６を分けているが、導電帯４が均質であれば筒状部材１の腕への挿入方向を規定する必要はない。放電性を高める目的で静電気放電電極部６にコロナ放電効果の高い別材料を取り付けたり、ファッション性や宣伝効果のために袖の外側に位置する静電気放電電極部６付近に特別なデザインが施されることで筒状部材１に向きが発生することも考えられる。
【００１０】
次に使用方法を説明する。静電気入力電極部５は手首付近で人体と電気的に接続されている。帯電した使用者が静電気を放電したい時は、静電気放電電極部６を放電対象に向けて近づける。静電気放電電極部６がコロナ放電し易い材料であるならば、放電対象に静電気放電電極部６が近づくにつれ徐々に放電していき、静電気放電電極部６が放電対象に触れた時点で両者の電位差は０となるので、その間静電気によるシビレや電撃を使用者は感じない。導電帯4が導電性発泡材などの高抵抗体である時は、静電気放電電極部６を放電対象に接触した時、静電気が高抵抗体をゆっくり流れるので使用者は電気によるシビレや電撃を感じない。本実施例はズボンの裾でも応用できる。
【００１１】
次に、他の静電気除去具の取り付け方法について図を参照して説明する。図４に第２の実施例の静電気除去具の斜視図を示す。クリップ状の裏側面の一方には静電気入力電極を有し、もう一方の面には静電気放電電極を有する。参照符号７は金属やプラスチックによる針金状部材で、クリップの骨組みを構成する部品である。参照符号８は導電糸を織り込んだ織布で形成された中空のひもで、針金状部材７に被せ、開放端を閉じてある。服への取り付け方法としては、クリップ状をした針金状部材７を袖に挟持すればよい。この時、ひも８と腕が接触し易いように、重ね着している場合は、上着の袖と素肌の上に位置する袖を合わせて挟持するのがよい。腕とひも８の接続が不安定であることを補う策としては、ひも８の一端８ａを延ばし、垂らしたり袖の内側に折り込んで肌に触れるようにしてもよい。
次に使用方法を説明する。帯電した使用者が静電気を放電したい時は、服１０に取り付けたひも８の袖の外側に露出した静電気放電電極部９を放電対象に向けて近づける。静電気放電電極部９が近づくにつれ徐々に放電していき、静電気放電電極部９が放電対象に触れた時点で両者の電位差は０となるので、その間静電気によるシビレや電撃を使用者は感じない。
第２の実施例ではクリップの骨組みとしてゼムクリップ型を使用して説明したが、これに限らず服の袖に取り付けられる形態ならば良いものである。例えば金属やプラスチック製の板をコの字に成形し、コの字の内側で袖を弾性により挟持するものでも良い。この場合、電極を構成する導電部品としては、導電糸を混ぜた織布や不織布、導電性を有するポリエチレンやウレタン樹脂などからなる発泡材料などが挙げられる。骨組みを構成する板状部材への電極部材の取り付け方法としては、ゼムクリップ型同様に導電糸を混ぜた織布からなる中空ひも状の導電部材を板状部材に被せたり、あるいは導電部材をコの字を成す板状部材の外側に貼付するものでも良い。
【図面の簡単な説明】
【００１２】
【図１】第１実施例の説明図
【図２】第１実施例の説明図
【図３】使用状態を示した説明図
【図４】第２実施例の説明図
【図５】第２実施例の使用状態説明図
【符号の説明】
【００１３】
１    円筒部材
２    円筒部材の一端部
３    円筒部材の他端部
４    導電帯
５    静電気入力電極部
６    静電気放電電極部
７    針金状部材
８    ひも
８ａ  ひもの一端
９    静電気放電電極部
１０  服
【図１】
2006210260.tif 000003
【図２】
2006210260.tif 000004
【図３】
2006210260.tif 000005
【図４】
2006210260.tif 000006
【図５】
2006210260.tif 000007